(57)【要約】【課題】前後左右方向に優れた耐滑性を有する耐滑靴底及びそれを用いた耐滑靴を提供する。【解決手段】靴の底面に接合される耐滑靴底１０であって、左右方向に延びる一方向に連続的に延設され、前記一方向に直交する方向の切断線３２により前記一方向で複数に分離されている接地ブロック３１を具備する。【選択図】  図１
2015216986.tif 000002
【特許請求の範囲】
【請求項１】
靴の底面に接合される耐滑靴底であって、左右方向に延びる一方向に連続的に延設され、前記一方向に直交する方向の切断線により前記一方向で複数に分離されている接地ブロックを具備することを特徴とする耐滑靴底。
【請求項２】
請求項１に記載の耐滑靴底において、前記接地ブロックは、左右方向に亘って設けられ、且つ前後方向に所定間隔で複数設けられていることを特徴とする耐滑靴底。
【請求項３】
請求項１又は２に記載の耐滑靴底において、前記接地ブロックの切断線の左右方向の位置は、前後側に隣接する接地ブロックの切断線の左右方向の位置と同じ位置であることを特徴とする耐滑靴底。
【請求項４】
請求項１〜３の何れか一項に記載の耐滑靴底において、前記接地ブロックは、接地面が平滑であって該接地面に対して実質的に垂直面となる側面を有することを特徴とする耐滑靴底。
【請求項５】
請求項１〜４の何れか一項に記載の耐滑靴底を備えたことを特徴とする耐滑靴。
【発明の詳細な説明】
【技術分野】
【０００１】
本発明は、安全靴等の靴底に用いられて、例えば、水、油等による滑りを抑えた耐滑靴底及びそれを備えた耐滑靴に関する。
【背景技術】
【０００２】
従来、例えば、飲食店の厨房等では、床面に水や油等が付着して滑りやすくなっていることが多い。このため、このような場所で使用する作業靴としては、これら水や油等による滑りを防止した耐滑靴底、すなわち、耐滑性の高い耐滑靴底を用いたものが使用されている。
【０００３】
耐滑性を向上させるための構造としては、例えば、接地凸部を、Ｖ字形状の横断面及び矩形状の縦断面を有するものがある（例えば、特許文献１参照）。また、平滑な接地面と直角な角を備えた接地ブロックを配置した耐滑性靴底がある（例えば、特許文献２、３参照）。
【０００４】
しかしながら、上述した従来の耐滑性靴底は、靴の前後方向には高い耐滑性能を発揮できるものの、左右方向に対しての耐滑性能は十分とはいえないという問題があった。すなわち、歩行動作時における前後方向への滑りは抑えることができるものの、左右に踏ん張った際に左右への滑りを十分に抑えることができないという問題があった。
【先行技術文献】
【特許文献】
【０００５】
【特許文献１】特許第３９５９６４８号公報
【特許文献２】特許第４７２１２６１号公報
【特許文献３】特許第４９７５７３６号公報
【発明の概要】
【発明が解決しようとする課題】
【０００６】
本発明はこのような事情に鑑み、前後左右方向に優れた耐滑性を有する耐滑靴底及びそれを用いた耐滑靴を提供することを課題とする。
【課題を解決するための手段】
【０００７】
前記課題を解決する本発明の第１の態様は、靴の底面に接合される耐滑靴底であって、左右方向に延びる一方向に連続的に延設され、前記一方向に直交する方向の切断線により前記一方向で複数に分離されている接地ブロックを具備することを特徴とする耐滑靴底にある。
【０００８】
かかる第１の態様では、左右方向に延びる一方向に連続的に延設され、一方向に直交する方向の切断線により一方向で複数に分離されている接地ブロックを具備し、接地ブロックへの力のかかり具合により切断線で分離されて変形するので、前後方向は勿論、左右方向への耐滑性能に優れた耐滑靴底となる。
【０００９】
本発明の第２の態様は、第１の態様に記載の耐滑靴底において、前記接地ブロックは、左右方向に亘って設けられ、且つ前後方向に所定間隔で複数設けられていることを特徴とする耐滑靴底にある。
【００１０】
かかる第２の態様では、接地ブロックが左右方向に亘って設けられ、且つ前後方向に所定間隔で複数設けられているので、接地ブロックの全体の接地面積が大きくなり、前後方向は勿論、左右方向への耐滑性能がより向上する。
【００１１】
本発明の第３の態様は、第１又は２の態様に記載の耐滑靴底において、前記接地ブロックの切断線の左右方向の位置は、前後側に隣接する接地ブロックの切断線の左右方向の位置と同じ位置であることを特徴とする耐滑靴底にある。
【００１２】
かかる第３の態様では、切断線の位置が同じなので、製造が比較的容易となる。
【００１３】
本発明の第４の態様は、第１〜３の何れかの態様に記載の耐滑靴底において、前記接地ブロックは、接地面が平滑であって該接地面に対して実質的に垂直面となる側面を有することを特徴とする耐滑靴底にある。
【００１４】
かかる第４の態様では、単純な接地ブロックで、前後左右方向の耐滑性能が得られる。
【００１５】
本発明の第５の態様は、第１〜４の何れかの態様に記載の耐滑靴底を備えたことを特徴とする耐滑靴にある。
【００１６】
かかる第５の態様では、前後左右方向に優れた耐滑性能を有する耐滑靴が実現できる。
【発明の効果】
【００１７】
以上説明したように、本発明では、左右方向に延びる一方向に連続的に延設され、一方向に直交する方向の切断線により一方向で複数に分離されている接地ブロックを具備するので、接地ブロックの配置ロスが排除され、また、接地ブロックへの力のかかり具合により切断線で分離されて変形するので、前後方向は勿論、左右方向への耐滑性能に優れた耐滑靴底及びそれを用いた耐滑靴を提供することができる。
【図面の簡単な説明】
【００１８】
【図１】本発明の実施形態１に係る耐滑靴底の底面図である。
【図２】図１のＡ−Ａ’線断面図である。
【図３】接地ブロックの機能を説明する模式図である。
【発明を実施するための形態】
【００１９】
以下に本発明を実施形態に基づいて詳細に説明する。
（実施形態１）
図１は、本発明の実施形態１に係る耐滑靴底の底面図であり、図２は、図１のＡ−Ａ’線断面図、図３は、接地ブロックの機能を説明する模式図である。
【００２０】
図１及び図２に示すように、本実施形態に係る耐滑靴底１０は、靴のアッパー（図示を省略）の底面に接合されるミッドソール２０と、このミッドソール２０に接合されるアウトソール３０との２層で構成されている。アウトソール３０は、例えば、ポリウレタン、ゴム等の比較的硬度の高い材料で形成されている。一方、ミッドソール２０は、アウトソール３０よりも柔らかい材料で形成され、その材料は特に限定されないが、例えば、ゴム、エラストマ、プラスチック等が挙げられ、特に、これらの材料を発泡させたものがミッドソール２０の材料として好適に用いられる。具体的には、例えば、発泡ポリウレタン、エチレンビニルアセテート（ＥＶＡ）等が挙げられる。
【００２１】
アウトソール３０は、ミッドソール２０とは反対側に突出する複数の接地ブロック３１を有する。各接地ブロック３１は、本実施形態では、左右方向に延設され、前後方向に所定間隔で並設され、接地ブロック３１の間は溝部３５となっている。接地ブロック３１の接地面３１ａと溝部３５側の側面３１ｂとは略直角となっている。また、アウトソール３０の接地ブロック３１以外の溝部３５の領域である最薄部の厚さは、靴底全体の剛性を確保できる程度に比較的薄く形成することが好ましく、少なくともミッドソール２０の厚さよりも薄くすることが望ましい。例えば、本実施形態では、最薄部の厚さを１．５ｍｍ程度としている。
【００２２】
ここで、各接地ブロック３１は、所定間隔で切断線３２により、複数の分離接地ブロック３３に分離されている。ここで、切断線３２により分離されているとは、金型成形により各分離接地ブロック３３を成形するのではなく、接地ブロック３１を成形した後、事後的に切断線３２により分離したことをいう。
【００２３】
切断線３２の深さは、本実施形態では、溝部３５の底部までとしているが、それより浅くてもよい。また、各接地ブロック３１の切断線３２の位置は隣接する前後の接地ブロック３１と切断線３２の位置と同一とした。すなわち、切断線３２は、本実施形態では、前後方向に一列に並ぶようにした。これにより、切断線３２を設ける工程が比較的容易になるが、もちろん、隣接する接地ブロック３１と異なる位置に切断線３２を設けるようにしてもよい。
【００２４】
このような接地ブロック３１は、切断線３２の存在により、各分離接地ブロック３３の接地面３３ａに付着した水分を素早く排除することができるので、優れた耐滑性が発揮される。また、接地ブロック３１は左右方向に連続して延設されているので、全体としては大きな接地面積を確保することができるが、切断線３２により分離接地ブロック３３に分離されているので、分離接地ブロック３３を個々に配置した状態と同等な耐滑性が確保できる。すなわち、各分離接地ブロック３３は、例えば、図３に示すように、接地された状態では個々に変形することによる耐滑性が発揮される。さらに、切断線３２により分離接地ブロック３３に分離されているので、耐滑性は前後方向だけでなく、各分離接地ブロック３３の切断線３２側の角部によって左右方向の耐滑性も確保されるので、前後左右方向の耐滑性が得られる。
【００２５】
なお、耐滑靴底１０の動摩擦係数を測定したところ、切断線３２を設ける前が０．４０であったのに対し、切断線３２を設けた場合に０．４５となり、０．０５向上したことを確認することができた。
【００２６】
以上説明した実施形態では、接地ブロック３１は左右方向に亘って設けるようにしたが、これに限定されるものではなく、ある程度の長さを有して切断線３２で分離接地ブロック３３に分離されているものであればよい。また、接地ブロック３１は、必ずしも靴底全体に設ける必要はなく、一部に設けて、他の機能を有する接地ブロックと混在してもよい。
【符号の説明】
【００２７】
１０  耐滑靴底
２０  ミッドソール
３０  アウトソール
３１  接地ブロック
３１ａ  接地面
３１ｂ  側面
３２  切断線
３３  分離接地ブロック
３３ａ  接地面
３５  溝部
【図１】
2015216986.tif 000003
【図２】
2015216986.tif 000004
【図３】
2015216986.tif 000005